(57)【要約】【課題】  揺動可能なアームを保持するケース体に設けられた窓から内部に頭髪などの異物が入り込むことを防止し、且つ耐久性を維持しながらランドセルの軽量化も実現可能なベルト取付具を提供すること。【解決手段】  保持軸２０によって軸止されるアーム６を、円形の盤体１０と、背負いベルト３を係留する取付部１１と、から成る構成にして、該アーム６を通過させるための窓１７の両端面に保持軸２０を中心とする円に沿っている円弧面１８を形成する。これによって盤体１０と円弧面１８との間の距離は、アーム６の揺動角度に関わらず常に一定であり、しかもその隙間は、双方が接触しない範囲で削減可能である。したがって窓１７から頭髪などの異物が入り込むことを防止できるほか、保持軸２０を従来よりもケース体５の上部に設置できるため、ベルト取付具４を小型化でき軽量化も実現する。【選択図】      図１
2006314396.tif 000002
【特許請求の範囲】
【請求項１】
背負いカバン（１）の背板（２）に固定されるケース体（５）に、二個の揺動可能なアーム（６）を左右対称に備え、
前記アーム（６）は、真円状に形成され且つその中心を保持軸（２０）によって揺動可能に支持されている盤体（１０）と、背負いベルト（３）を係留するため前記盤体（１０）の上部に位置している取付部（１１）と、から成り、前記盤体（１０）の周縁位置にアーム（６）を揺動させるためのバネ材（７）が当接している作用部（１３）を設け、
前記ケース体（５）を取り囲むように立設された周壁（１６）には、アーム（６）の取付部（１１）を外に突出させるための窓（１７）が開口してあり、該窓（１７）の両端面は、保持軸（２０）を中心とした円に沿って形成された円弧面（１８）になっており、該円弧面（１８）と前記揺動する盤体（１０）との間には、頭髪が入り込まないような隙間が確保されていることを特徴とするベルト取付具。
【請求項２】
前記アーム（６）の盤体（１０）に設けられる作用部（１３）は、取付部（１１）と対向する側に形成されていることを特徴とする請求項１記載のベルト取付具。
【請求項３】
前記盤体（１０）には、周縁の一部を切り欠いて形成された溝（１４）を有しており、一方のケース体（５）には前記溝（１４）に接触してアーム（６）の揺動範囲を制限できるストッパ（１９）が形成されていることを特徴とする請求項１または２記載のベルト取付具。
【発明の詳細な説明】
【技術分野】
【０００１】
本発明は、ランドセルを始めとする背負いカバンにおいて、背負いベルトの上端を固定するために使用されるベルト取付具に関する。
【背景技術】
【０００２】
背負いカバンの代表的なものにランドセルが挙げられる。ランドセルを身体に装着する際は、背負いベルトを肩に掛けて背板を背中に密着させるため、身体との結合性が高く駆け足などの激しい動きに対しても、中に収納された文具類を安定して保持できる。背負いベルトは左右対称に配置され、その上端は背板の上部中央にあるベルト取付具によって保持され、一方の下端は底面にある金具によって保持されている。背負いベルトはランドセル装着時の使用感に大きな影響を与えるため、特許文献１を始めとする様々な技術開発が行われており、形状や材質などが都度進化している。
【特許文献１】特許３５２４５４７号公報
【特許文献２】特許３５１０２１６号公報
【特許文献３】特許３５２８０７８号公報
【０００３】
図６は、一般的なランドセルの形状例を示す斜視図である。この図のように背負いベルトの上端を保持しているベルト取付具は、背板の表面に据え付けられたケース体や、実際に背負いベルトを留めているアームなどから構成されている。アームの一部はケース体の中に収納されており、内部の支点を中心として一定の範囲で揺動可能な構造になっている。これによって様々な体格の児童が使用した場合でも、背負いベルトの引き出し方向を自在に調整できるため、ベルトが捻れることを防止でき常に良好な使用感を提供できる。このような揺動可能なアームを備えているベルト取付具を図７に示す。この図は、ベルト取付具の正面図だが、内部の構造を示すため、表面を覆うカバーなどを一部切り欠いて作図している。
【発明の開示】
【発明が解決しようとする課題】
【０００４】
図６や図７に示す揺動可能なアームは、その利便性の高さから既に広く普及しているが、問題点もある。アームの下半分はケース体の内部に収納されており、残り上半分はケース体の上方に突出している。そのためケース体の上部には、アームを通過させるための窓が設けられている。その結果、アームと窓との間には大きな隙間ができてしまい、しかも窓は上向きであるため雨などの異物が入り込みやすく、異物の噛み込みや内部の腐食によってアームの揺動が妨げられる場合がある。さらにベルト取付具は頭部直下に位置するため、窓から頭髪が入り込んでアームなどに絡み付き、ランドセルを身体から降ろす際、頭髪が引き込まれて不意に痛い思いをする恐れがある。
【０００５】
図７に示すような従来のベルト取付具は、アームが常に中央寄りを向くよう、ケース体の内部にはバネ材が組み込まれており、所定の回転力を発生できるようバネ材の作用点は、アームの支点から遠ざけることが好ましい。そのためアームの形状は縦方向に長くなり、したがってアームの支点から背負いベルトの係留部までの距離も長くなり、その結果ベルト取付具も大型化する傾向にある。しかし小学校低学年の児童を考慮すると、ランドセルは極力軽量化する必要があり、そのためベルト取付具についても軽量小型化が求められている。またランドセルは乱雑に扱われる場合もあるので、耐久性についても配慮すべきである。
【０００６】
本発明はこうした実情を基に開発されたもので、揺動可能なアームを保持するケース体に設けられた窓から内部に頭髪などの異物が入り込むことを防止し、且つ耐久性を維持しながらランドセルの軽量化も実現可能なベルト取付具の提供を目的としている。
【課題を解決するための手段】
【０００７】
前記の課題を解決するための請求項１記載の発明は、背負いカバンの背板に固定されるケース体に、二個の揺動可能なアームを左右対称に備え、前記アームは、真円状に形成され且つその中心を保持軸によって揺動可能に支持されている盤体と、背負いベルトを係留するため前記盤体の上部に位置している取付部と、から成り、前記盤体の周縁位置にアームを揺動させるためのバネ材が当接している作用部を設け、前記ケース体を取り囲むように立設された周壁には、アームの取付部を外に突出させるための窓が開口してあり、該窓の両端面は、保持軸を中心とした円に沿って形成された円弧面になっており、該円弧面と前記揺動する盤体との間には、頭髪が入り込まないような隙間が確保されていることを特徴とするベルト取付具である。
【０００８】
本発明によるベルト取付具は、背板に密着して固定されるケース体と、ケース体によって揺動可能な状態で支持されるアームと、アームに回転力を与えるためのバネ材と、これらに付帯する部品とから成り、基本的な構成において従来のものと変わりはない。アームは、ケース体の外に突出している部分と、ケース体の中に収納されている部分とに大別され、ケース体の外にある部分は、大半が背負いベルトを係留するための取付部になっており、背負いベルトを通すことのできる環状部などが形成されている。またケース体の中にある部分は、真円形の板で構成された盤体になっており、この点が従来の扇形などを基調とするアームとは大きく異なり、これまでに類を見ない本発明の特徴である。なお前記の取付部は、盤体の一部周縁を外側に延長して一体形成される場合が多いが、別途に製作して接合してもよい。
【０００９】
ケース体は、ベルト取付具の土台となる部品で基本的に蓋のない箱状であり、底面に相当する板状部と、この板状部の周囲から直角に立ち上がって縁を取り囲んでいる周壁と、から構成されている。板状部にはアームを揺動可能に支持するための保持軸を備えており、一方の盤体の中心には保持軸を挿通するための中心孔が明けられている。これら保持軸および中心孔の直径は、アームがガタ付くことなく円滑に揺動できる寸法になっている。またケース体の縁に形成された周壁は、基本的に板状部の全周に設けられているが、アームの取付部を外に突出させるため、一部区間では周壁を設けず内側に開放している窓が必要になる。
【００１０】
窓の両端面とは、窓の周囲を構成する四面のうち、ケース体の幅方向に対して向き合っている面を指し、ちょうど周壁の切断面にあたる。この両端面は単純な直線で構成されている訳ではなく、保持軸を中心とする円に沿って形成された円弧面になっている点が特徴である。したがって保持軸によって軸止された盤体は、窓と接触することなく、しかも双方の隙間は揺動に関わらず常に一定に維持される。なお請求項に記載した頭髪が入り込まないような隙間とは、約１ｍｍ以下、望ましくは０．５ｍｍ以下であり、さらに双方が接触しない程度にまで縮小してもよい。
【００１１】
バネ材は、取付部が常に中央を向くようアームに回転力を与える役割があり、コイルバネなどが使用される。バネ材の一部はケース体内部に固定する必要があり、そのためケース体に係止部が形成されている。バネ材は係止部に固定され、ここから延びているバネ材の端部が、盤体に形成された作用部に接触しており、バネ材の反力が作用部に加わることで、アームを所定の方向に移動させる。なお係止部や作用部は、バネ材の反力を確実に受け止められるものであれば、構成や形状は自在である。
【００１２】
このように構成することで、窓と盤体との間に生じる隙間は常に一定であり、しかも加工精度などに問題がない範囲でこの隙間を小さくすることが可能で、窓からケース体の内部に異物が入り込む恐れがなくなる。なお通常のベルト取付具は、ケース体やアームなどの他、ケース体の内側を覆うカバーや、美感を高めるための飾り板などが取り付けられ、またケース体の中央には、カバンを吊す際に便利なフックを備えているが、これらについては本発明においても従来と何ら変わりなく使用される。
【００１３】
また本発明の利便性をより向上するには請求項２記載の発明のように、アームの盤体に設けられる作用部は、取付部と対向する側に形成することが望ましい。作用部は、できるだけ大きな回転力が得られるよう、中心孔から遠い位置に設けるべきだが、取付部に近い側はバネ材を組み込むための空間の確保が困難である。そこで空間的な余裕があり、さらに中心孔からの距離を確保するため、中心孔を基準として、取付部の反対側に作用部を設けることが好ましい。このように構成することで、一般的なバネ材を使用した場合でも所定の回転力を得ることができ、しかもバネ材の配置も容易に行える。なお本発明における作用部は、取付部に対して厳密に対向する側に形成する必要はなく、ある程度の偏りは許容される。
【００１４】
さらに請求項３記載の発明のように、盤体には、周縁の一部を切り欠いて形成された溝を有しており、一方のケース体には前記溝に接触してアームの揺動範囲を制限できるストッパを形成することも可能である。アームの揺動範囲は、取付部が窓の円弧面に接触するまでだが、ストッパを組み込むことでこの範囲を狭く制限できる。このように構成することで、アームの取付部と窓の円弧面との接触を防止でき、これらの部分に過大な荷重が作用することを防止できる。
【発明の効果】
【００１５】
請求項１記載の発明のように、アームを取付部と盤体とから成る構成して、ケース体によってアームを揺動可能に支持し、ケース体の周壁を切り欠いた窓から、アームの取付部とこれに隣接する盤体周縁だけを外部に露見させることで、アームと窓との間に生じる隙間が常に一定になり、しかも加工精度などに問題がない範囲でこれを小さくでき、その結果、窓が上向きであっても、ケース体の内部に異物が入り込む恐れがなくなり、頭髪が絡み付いて使用者に痛い思いを負わせることも防止できる。また従来のようにアームの揺動支点よりも上側でバネ材をアームに接触させる必要がなくなり、本発明では保持軸と取付部との間の距離に制約がなくなり、アームの小型化が可能になる。さらに盤体の一部を窓から外部に露見させる構造により、ケース体の上部に保持軸を配置可能になる。これらの要因によりケース体の上下寸法を削減でき、ベルト取付具の軽量小型化が実現して、ランドセルの軽量化にも貢献できる。
【００１６】
請求項２記載の発明のように、バネ材からの反力を受け止めるための作用部を、取付部と対向する側に設けることで、アームの中心孔から作用部までの距離を確保でき、従来と同様のバネ材を使用しても所定の回転力を得ることができる。またバネ材を固定する係止部の位置は、窓から遠いため空間に余裕があり設計時の自由度が高くなり、組み立て作業も容易になるといった副次的な効果がある。
【００１７】
請求項３記載の発明のように、アームの揺動範囲を制限する溝とストッパを用いることで、ランドセルが乱雑に取り扱われて、アームを揺動させる方向に過大な荷重が作用した際も、これをストッパが受け止めてケース体の窓に荷重が加わることを防止でき、窓が変形したり亀裂が発生したりという破損を防止でき、耐久性を一層向上できる。なお溝は、盤体の周縁を削るようにして形成されるため、ストッパを設けることでケース体が大型化することはなく、しかも想定される荷重に対応できるストッパの組み込みが可能である。
【発明を実施するための最良の形態】
【００１８】
図１は、本発明によるベルト取付具４の構造を示すもので、図１（Ａ）は正面図で、図１（Ｂ）は右側面図である。ただし正面図は、内部構造が把握できるよう表面を覆っているカバー２５などを取り外した状態で描いており、図中の斜線部は、物品を識別できるよう描いたもので断面を示すものではない。また右側面図は、背板２とカブセ８のみ断面を描いている。ベルト取付具４は、ランドセル１の背面側を覆う背板２の上部中央に固定され、背負いベルト３の上端を係留しており、そのほかカブセ８は収納空間を覆うための帯状の蓋である。そしてケース体５は、ベルト取付具４の土台となる部品であり、横長の長方形を基調とした形状で、上下両面は美感を向上するため緩やかな曲面になっている。またケース体５は、内部に各種部品を組み込むため箱状になっており、背板２と直接接触する平面状に成形された板状部１５と、この板状部１５を取り囲むように形成された周壁１６などから構成されている。
【００１９】
アーム６は、実際に背負いベルト３を係留するためのもので、本発明ではケース体５の内部に収納されている盤体１０と、この盤体１０の上部から延長して形成された取付部１１と、から構成されている。盤体１０は真円形状の板であり、この中央部には中心孔１２が明けられており、これを軸止できるようケース体５の板状部１５には、円柱状に突出した保持軸２０が形成されている。保持軸２０の直径は、中心孔１２の直径よりわずかに小さくしてあり、アーム６はガタ付くことなく揺動可能である。なお盤体１０は、完全な真円である必要はなく、他の部品との兼ね合いで周縁部の一部を内側に切り込んだり外側に延長する場合もあるが、あくまでも真円を基調としており、従来の扇形を基調とするものとは一線を画している。また盤体１０の上側に位置している取付部１１は、背負いベルト３を中に通すことのできるよう長円状に形成された環状部２３と、この環状部２３と盤体１０を結んでいる接続部２４と、から構成されている。図１（Ａ）の向かって右側のアーム６において、一点鎖線から上が取付部１１で、このうち環状部２３の直下に位置している箇所が接続部２４になる。
【００２０】
ケース体５を取り囲むように周壁１６が形成されているが、アーム６を通過させるため一部区間では周壁１６を切断して、内部に開かれた窓１７が設けられ、この窓１７からは、取付部１１とこれに隣接する盤体１０の周縁が外に露見している。窓１７の両端面は周壁１６を単純に切断して形成した訳ではなく、盤体１０の周縁に沿った曲面から成る円弧面１８であり、この円弧面１８の全域において盤体１０との隙間は微少に維持される。これらの構造により、アーム６の揺動角度に関わらず盤体１０とケース体５との隙間は一定に維持される。
【００２１】
アーム６の揺動範囲は、その構造から取付部１１が円弧面１８に接触するまでになるが、この際、比較的薄い周壁１６では過大な荷重に対する耐久性が問題になる。そこで盤体１０の一角を切り欠いて溝１４を形成して、一方のケース体５には、板状部１５を隆起させたストッパ１９を形成して、このストッパ１９が溝１４に入り込む構造にする。そしてアーム６が所定の揺動角度になった際、溝１４がストッパ１９に接触するよう双方の位置を調整すると、揺動範囲を自在に規制できる。なお図１（Ａ）において向かって左側のアーム６は、最も外側に傾斜した状態でストッパ１９の上面によって拘束され、また右側のアーム６は、最も中央に寄った状態でストッパ１９の下面によって拘束されている。
【００２２】
バネ材７は、アーム６を中央に寄せるために組み込まれており、コイル３１とこの両端を引き延ばして形成された脚３２とから成るコイルバネで、コイル３１をケース体５に固定するため、板状部１５から円柱状に隆起した係止部２１が形成されている。脚３２は一方が周壁１６の内側に接触しており、他方が盤体１０に形成された作用部１３に接触している。このバネ材７は、常に脚３２同士が離れようとする方向に反力を発生しており、アーム６に外力が作用していない場合、図１（Ａ）右側のアーム６のように中央に寄る。なお脚３２を組み込むため、盤体１０の一部周縁は切り欠かれており、また脚３２との接触を確実なものとするため、作用部１３は円柱状になっている。当然ながら作用部１３は図示した形態に限定される訳ではなく、脚３２を差し込むような構造も可能である。
【００２３】
他にベルト取付具４を背板２に固定するため、ケース体５には三個のキリ孔２２が設けられている。また右側面図に示すように中空鋲２９は、飾り板２７からネームプレート２６とカバー２５を貫き、さらにキリ孔２２から背板２を貫き、最後に当て板２８を貫いており、その先端に裏座３０を組み付けると、ベルト取付具４はランドセル１に一体化される。そのほかケース体５の中央には、ランドセル１を吊り下げる際に便利なフック９が装備されている。
【００２４】
図２は、図１（Ａ）の窓１７周辺の構造を示す拡大図である。盤体１０を挟み込むように形成された円弧面１８は、図中の保持軸２０を中心とする一点鎖線円に沿って形成され、盤体１０と円弧面１８との隙間は、円弧面１８の全域において一定になる。なお円弧面１８の延長を必要以上に長くする必要はなく、異物の侵入に対して問題がなければ途中で打ち切り、逃げ面３５を形成してもよい。
【００２５】
図３は、図１に示すベルト取付具４の形状と構成を示す斜視図である。ケース体５は、平面的な板状部１５とこれを囲んでいる周壁１６とから構成され、周壁１６の一部を内側に延長させる形でストッパ１９が形成されている。また板状部１５には、アーム６を軸止するための保持軸２０と、バネ材７を固定するための円柱状の係止部２１が、それぞれ左右対称に配置されている。そのほかケース体５の内部の覆うため、ケース体５の外形状に沿ったカバー２５のほか、ランドセル１の保有者の名前を記載できるネームプレート２６や、美感を向上するための飾り板２７が従来と同様に用いられ、これらは飾り板２７側から差し込まれる専用の中空鋲２９によって締結される。
【００２６】
図４は、本発明によるランドセル１の形状例を示す斜視図である。ケース体５に形成された窓１７からはアーム６の盤体１０の一部が見えており、さらに取付部１１が上方に突出している。したがってアーム６の揺動位置に関わらず窓１７と盤体１０との間には、ケース体５内部に開いた隙間が形成されず、異物が挟み込まれる恐れがない。このように盤体１０の一部が外に露見している構造のため、内部に配された保持軸２０の位置を従来より上に設置でき、ケース体５の上下寸法を小さくすることが可能になる。
【００２７】
図５は、本発明によるベルト取付具４の形状例を示す正面図であり、アーム６の取付部１１は、盤体１０と円滑に接続できるならば、その形状は自在に選定できる。そこで本図のように、中空状に形成された筒状体３３を盤体１０の上に設け、この筒状体３３の中に別途製作したリング３４を差し込み、このリング３４に背負いベルト３の上端を固定する形態などが実現可能である。
【図面の簡単な説明】
【００２８】
【図１】本発明によるベルト取付具の構造を示すもので、（Ａ）は正面図で、（Ｂ）は右側面図である。
【図２】図１（Ａ）の窓周辺の構造を示す拡大図である。
【図３】図１に示すベルト取付具の形状と構成を示す斜視図である。
【図４】本発明によるランドセルの形状例を示す斜視図である。
【図５】本発明によるベルト取付具の形状例を示す正面図であり、別途に製作したリングを介して背負いベルトを係留している。
【図６】現在普及している一般的なランドセルの形状例を示す斜視図である。
【図７】現在普及しているアームが揺動可能なベルト取付具の形状を示す正面図である。ただし内部の構造を示すため、表面を覆うカバーなどを一部切り欠いて作図している。
【符号の説明】
【００２９】
１  背負いカバン（ランドセル）
２  背板
３  背負いベルト
４  ベルト取付具
５  ケース体
６  アーム
７  バネ材
８  カブセ
９  フック
１０  盤体
１１  取付部
１２  中心孔
１３  作用部
１４  溝
１５  板状部
１６  周壁
１７  窓
１８  円弧面
１９  ストッパ
２０  保持軸
２１  係止部
２２  キリ孔
２３  環状部
２４  接続部
２５  カバー
２６  ネームプレート
２７  飾り板
２８  当て板
２９  中空鋲
３０  裏座
３１  コイル
３２  脚
３３  筒状体
３４  リング
３５  逃げ面
【図１】
2006314396.tif 000003
【図２】
2006314396.tif 000004
【図３】
2006314396.tif 000005
【図４】
2006314396.tif 000006
【図５】
2006314396.tif 000007
【図６】
2006314396.tif 000008
【図７】
2006314396.tif 000009